(57)【要約】【課題】  求心性に優れ、杭体を容易にまっすぐに打設することができる杭体の先端部の構造を提供すること。【解決手段】  地中に打設する杭体３の先端部の構造であって、前記杭体３の半径以下の高さとなる平面視台形の３枚の羽板１ａ，１ｂ，１ｃからなり、前記羽板１ａ，１ｂ，１ｃの底辺同士を間隔が等間隔になるようにして前記杭体３の中心軸３１の延長線上で接合したことを特徴とする構造である。【選択図】図１
2005146649.tif 000002
【特許請求の範囲】
【請求項１】
地中に打設する杭体の先端部の構造であって、
前記杭体の中心軸の延長線上に一端を集結させた３枚の羽板からなり、
前記羽板は前記杭体の半径以下の幅で、かつ前記中心軸の延長線上で最も長くなることを特徴とする、
杭体の先端部の構造。
【請求項２】
地中に打設する杭体の先端部の構造であって、
前記杭体の半径以下の高さとなる平面視台形の３枚の羽板からなり、
前記羽板の底辺同士を間隔が等間隔になるようにして前記杭体の中心軸の延長線上で接合したことを特徴とする、
杭体の先端部の構造。
【発明の詳細な説明】
【技術分野】
【０００１】
本発明は、地盤に打設する杭体の先端部の構造に関するものである。
【背景技術】
【０００２】
住宅用の基礎として杭を打設する場合、敷地が狭く大型の施工機械が使用できないため、先端に螺旋状に撹拌翼ｂを取り付けた鋼管杭ａを回転させながら圧入する方法が実施されることが多い。
撹拌翼ｂを取り付けた鋼管ａは、杭底面積を大きくとることができるため、先端支持力を大きく算定することができる。
また、特許文献１には鋼管杭の先端付近に拡底支持翼を取り付けた拡底鋼管杭に関する発明が開示されている。
【特許文献１】特開２００２−２１２９４７号公報
【発明の開示】
【発明が解決しようとする課題】
【０００３】
前記した従来の杭体の先端部の構造にあっては、次のような問題点がある。
＜１＞先端に撹拌翼ｂを取り付けた鋼管杭ａを地盤に回転させながら圧入すると、杭周辺の地盤は撹拌翼ｂによって撹拌された緩み層となる。このため、杭の周面と地盤の周面摩擦抵抗は低減され、杭の支持力が低下する原因となる。
＜２＞鋼管杭ａから側方に突出した撹拌翼ｂは、回転・圧入時に作用する地盤からの抵抗によって上方に反る場合がある。この場合は、杭底面積が小さくなり、先端支持力も低下する。
【課題を解決するための手段】
【０００４】
上記のような課題を解決するために、本発明の杭体の先端部の構造は、地中に打設する杭体の先端部の構造であって、前記杭体の中心軸の延長線上に一端を集結させた３枚の羽板からなり、前記羽板は前記杭体の半径以下の幅で、かつ前記中心軸の延長線上で最も長くなることを特徴とする構造である。
また、地中に打設する杭体の先端部の構造であって、前記杭体の半径以下の高さとなる平面視台形の３枚の羽板からなり、前記羽板の底辺同士を間隔が等間隔になるようにして前記杭体の中心軸の延長線上で接合したことを特徴とする構造である。
【発明の効果】
【０００５】
本発明の杭体の先端部の構造は、上記した課題を解決するための手段により、次のような効果の少なくとも一つを得ることができる。
＜１＞杭体の中心軸に向けて尖った構造であるため、求心性に優れ、杭体をまっすぐに打設することができる。
＜２＞３枚の羽板が地盤を切削、撹拌するため、容易に杭体を打設することができる。
＜３＞簡素な構造であり、杭体周面から突起する部分がないため、破損し難い。
【発明を実施するための最良の形態】
【０００６】
以下、図面を参照しながら本発明の実施の形態について説明する。
【０００７】
＜１＞杭体
杭体３は、上載荷重を支持させるために地盤に打設する基礎構造物である。杭体３には、鋼管杭、鉄筋コンクリート杭などの公知の杭体が使用できる。特に、本発明の適用によって効果を発揮する杭体３は小径鋼管杭である。例えば直径が７５〜２２０ｍｍ程度、好ましくは１００〜１７０ｍｍ程度の小径鋼管が適している。
杭体３は、通常、単位長さに製作されたものを継ぎ足して使用する。本願において説明する杭体の先端部の構造は、最初に地盤に貫入させる杭体３の先端にのみ設ける。
【０００８】
＜２＞先端部の構造
杭体の先端部の構造は、杭体３の先端に部材を取り付けて形成することができる。また、杭体３と一体に成形してもよい。
先端部の構造は、３枚の羽板１ａ，１ｂ，１ｃで構成する。羽板１は、幅が杭体３の半径以下の板材で、先端側に配置される側面が傾斜して中心軸３１側が最も長くなる。例えば、平面視が台形の板材を使用し、台形の高さを杭体３の半径以下とする。そして、台形の側辺の一方が底辺に直交する形状とし、他の側辺は底辺に向けて広がる傾斜とする。なお、平面視台形に代えて平面視三角形の板材を使用することもできる。
３枚の羽板１ａ，１ｂ，１ｃは、一端を一直線上に集結させて接合する。この３枚の羽板１ａ，１ｂ，１ｃが集結する直線が杭体３の中心軸３１の延長線となる。例えば、台形の羽板１ａ，１ｂ，１ｃを使用した場合、台形の底辺同士を接合する。底辺と直交する側の側辺は円板形の基板２に固定する。３枚の羽板１ａ，１ｂ，１ｃは、例えばそれぞれの羽板１，１間の内角が１２０度となる等間隔に配置するのが好ましい（図３参照）。３枚の羽板１ａ，１ｂ，１ｃの側辺は、接合部である中心軸３１に向けて広がるため、先端部の構造は中心軸３１周辺で最も尖る形状となる。
先端部の構造を杭体３と別部材で形成した場合は、杭体３の先端に蓋をするように先端部の構造を取り付ける。例えば、鋼管杭の中空部に羽板１を取り付けた基板２を挿入し、溶接などで固定する。このとき羽板１の基板２に近い部分は鋼管杭の内部に格納されることになる（図１参照）。
【０００９】
＜３＞打設時の作用
本発明の先端部の構造を有する杭体３を地盤に打設したときの作用について説明する。
本発明の構造は、中心軸３１の周囲が最も尖った形状であるため、地盤に容易に突き立てることができる。そして、杭体３を回転させながら地盤に圧入する。このとき、３枚の羽板１ａ，１ｂ，１ｃが地盤を切削、撹拌するため、容易に地中に杭体３を押し込むことができる。また、常に尖った中心軸３１周辺が先行して地中を推進するため、求心性に優れ、まっすぐに杭体３を打設することができる。
また、羽板１の幅（台形の羽板１の場合は高さ）が、杭体３の半径以下であるため、杭体３の周面から羽板１が突出する部分がなく、杭体３周面の地盤を撹拌して緩めることがない。このため、杭体３周面の周面摩擦抵抗も杭体３の支持力として確保することができる。
【実施例】
【００１０】
杭体３の外径が１１４．３ｍｍ、１３９．８ｍｍ、１６５．２ｍｍの鋼管杭に本発明の先端部の構造を取り付ける実施例について説明する。
基板２には鋼管杭の内径と略同じ大きさの直径を有する鋼製の円板を使用する。羽板１の形状は底辺と一方の側辺が直交する形状とし、高さは基板２の半径と同じにし、上辺の長さは８０ｍｍとする。底辺の長さは鋼管杭の径に対応させて大きい方から１０７ｍｍ、１１５ｍｍ、１２２ｍｍとする。
【図面の簡単な説明】
【００１１】
【図１】本発明の杭体の先端部の構造の実施例の説明図。
【図２】杭体の先端部の構造の実施例の側面図。
【図３】杭体の先端部の構造の実施例の平面図。
【図４】従来の杭体の先端部の構造の実施例の説明図。
【符号の説明】
【００１２】
１・・・羽板
１ａ・・羽板
１ｂ・・羽板
１ｃ・・羽板
２・・・基板
３・・・杭体
３１・・中心軸
【図１】
2005146649.tif 000003
【図２】
2005146649.tif 000004
【図３】
2005146649.tif 000005
【図４】
2005146649.tif 000006